(57)【要約】【課題】１年に一度又は数度しかない行事や予定において得られた貴重な知識や経験等を来年に確実に反映させて有効活用できる来年ダイアリーを提供する。【解決手段】或る年の月ごとの各日の行事や手続等、数年に一度しかない手続等の予定を記入可能な行事記入欄が記載された本年月別各日詳細スケジュール記入欄と、本年月別各日詳細スケジュール記入欄に該当する月の重要メッセージを記入可能な本年月別重要メッセージシートを貼り付けることができる本年月別注意喚起欄と、本年月別各日詳細スケジュール記入欄に対応する月の来年の月用に重要メッセージを記入可能な来年用月別注意喚起メッセージシートを剥離可能に貼り付けておくことができる来年用月別注意喚起欄６０と、来年用月別注意喚起欄に剥離可能に貼り付けられた来年用月別注意喚起メッセージシートをそれぞれの月ごとに１年分有する来年ダイアリー１である。【選択図】図４
2018089863.tif 000002
【特許請求の範囲】
【請求項１】
或る年の月ごとの各日の行事や手続等の予定、数年に一度しかない手続等の予定を記入可能な行事記入欄が記載された本年月別各日詳細スケジュール記入欄と、
前記本年月別各日詳細スケジュール記入欄に該当する月の重要メッセージを記入可能な本年月別重要メッセージシートを貼り付けることができる本年月別注意喚起欄と、
前記本年月別各日詳細スケジュール記入欄に対応する月の来年の月用に重要メッセージを記入可能な来年用月別注意喚起メッセージシートを剥離可能に貼り付けておくことができる来年用月別注意喚起欄と、
前記来年用月別注意喚起欄に剥離可能に貼り付けられた来年用月別注意喚起メッセージシートをそれぞれの月ごとに１年分有することを特徴とする来年ダイアリー。
【請求項２】
前記本年月別各日詳細スケジュール記入欄、本年月別注意喚起欄、来年用月別注意喚起欄に加えて、今年の該当する月の本年月別概略予定記入欄を備え、当該本年月別概略予定記入欄には、それぞれの日付ごとに別々に剥離可能に貼り付けられた各日概略予定記入ラベルが貼付され、かつ予定の変更や正式決定に伴い、既に予定記入済の各日概略予定記入ラベルと他の各日概略予定記入ラベルを交換するために貼り変え可能になっていることを特徴とする請求項１に記載の来年ダイアリー。
【発明の詳細な説明】
【技術分野】
【０００１】
本発明は、使用する年の行事や手続等の予定、数年に一度しかない手続等の予定を記入するだけでなく、来年も繰り返される行事や手続等の予定に伴う注意事項をその年に記入して来年確実に確認して注意喚起できるようにした来年ダイアリーに関する。
【背景技術】
【０００２】
その年に行う行事や手続、数年に一度しかない行事や予定を記入する１年分の記入欄を設けたダイアリーや、１月から１２月に加えてその来年の１月までの記入欄を余分に加えたダイアリー、年度初めの４月から次年度末の３月までのダイアリーや、次年度の４月までの記入欄をこれに加えたダイアリーなどが一般的に知られている。
【０００３】
また、上述のダイアリーに関連して特別な工夫を凝らした多年カレンダーというものも知られている（例えば特許文献１及び特許文献２参照）。
【先行技術文献】
【特許文献】
【０００４】
【特許文献１】特開２００６−５６０８１号公報
【特許文献２】特許第５４９２３３１公報
【発明の概要】
【発明が解決しようとする課題】
【０００５】
上述のような、年初めの１月１日から年末の１２月３１日まで、年度初めの４月１日から来年度末の３月３１日までの日程やスケジュール、簡単な出来事を記載可能な手帳や日記帳からなるダイアリー（以下、単に「ダイアリー」とする）の場合、その期日が経過した後は、使用することができなくなって捨ててしまったり、単なる思い出の品として机の中に仕舞い込んだままとなったりする。
【０００６】
一方、年初めの１月１日から来年度末の３月３１日まで記載可能なダイアリーもあるが、この来年の１月１日から３月３１日の分はあくまで補助的に加えられたものであり、その期間内に新しいダイアリーを購入するためのものに過ぎず、機能的には上述のダイアリーと同様である。
【０００７】
従って、一旦使用済みとなった前年のダイアリーをめくり直し、重要事項を探してそれを来年のダイアリーに書き写すような面倒なことは、日々の忙しい暮らしの中ではなかなか行うことができない。また、このようなことを仮に行ったとしても、例えば半年前や１年近く前に簡単にメモした内容がどの程度重要かどうかを即座に思い出すことはなかなかできず、重要度合いを的確に割り振って新しく使い始めるダイアリーに書き写すことは難しい。
【０００８】
一方、子供の運動会、ピアノやバレエの発表会、趣味で習っている楽器の演奏会、家族で出かける夏休みの国内旅行や海外旅行、お盆の際の田舎への帰省、新年の挨拶、定例となった１年に一度の旧友との再会など、年間を通じて一度しか行われない行事や手続、数年に一度しかない行事や予定が日常生活を送るにあたって数多く存在する。
【０００９】
このような行事や手続等の予定、数年に一度しかない手続等の予定の一例として、例えば子供の運動会、ピアノやバレエの発表会などがある場合、事前にどのような時期に如何なる準備をしておかなければならないか、家族で出かける夏休みの旅行の場合、どの時期までに予約をしておくのが値段的に安く収まるか、どの旅行会社のどの担当者が最も対応が好ましいか、お盆の帰省の際にどのような時間にどのようなルートで帰省すれば帰省ラッシュの影響を最も受けないか等についてその時期になると毎年悩みの種となる。
【００１０】
このような問題に関して、特にその年に失敗して来年は同じ失敗を繰り返さないようにしたり、その年に首尾良くいったので来年も同様に準備したりできるように、その行事や手続等の予定、数年に一度しかない手続等の予定が終わった直後においてはそれらの経験や知識を記憶に強く留めておけるが、１年経つとその記憶も薄れてしまい、前年度の経験や知識を有効に生かすことができないことが多い。そのため、前の年に失敗したことをうっかり繰り返してしまったり、次の年に改善すべきことをうっかり忘れてしまったりすることが多々ある。
【００１１】
また、自家用車の車検、免許証やパスポートの更新など、数年ごとに行う手続に関しては、毎年確認しておかないとうっかり忘れてしまい、車検や免許証の有効期間の失効を招いたり、パスポートの有効期間が失効したままそれに気づかず海外旅行を手配し、結果的に旅行に行かれなくなったりする事態が生じる。
【００１２】
同様に、法事を主催する立場に立った者が三回忌や七回忌などの数年に一度の法事の準備等を忘れたり、法事を行う際に招くべき大切な人をうっかり忘れてしまったりすることもあり、親戚との間の人間関係を悪化させしまう。
【００１３】
仮にこのような経験をその年の年間ダイアリーに記載しておいても、その年にしか使わない年間ダイアリーを使い終わった後に年が変わって捨ててしまうと、有効な情報として生かすことが全くできず、若しくは単なる記念の品として机の中に保管しておいても、前述したように、各行事や手続等の予定、数年に一度しかない手続等の予定の時期が近づいた際にその行事や手続等の予定、数年に一度しかない手続等の予定ごとに前年の使用済みのダイアリーの該当箇所をめくりなおして確認することは煩雑でなかなか行うことができない。
【００１４】
なお、特許文献１及び特許文献２に記載の多年カレンダーは、複数年の暦をまとめて１冊のカレンダーにしたもので、その年の行事や手続等の予定、数年に一度しかない手続等の予定の或る特定の日の予定等をそれぞれ細かく記入するためのものでは無い。
【００１５】
そこで、上述のような煩雑で実効性に乏しい対策をとることなく、毎年繰り返される重要な年間行事の日程管理、それらの年間行事に伴って必要とされる事前準備や、或る年に行われた行事に伴う必須の持ち物を忘れたり、その行事の準備の段階においてうっかりミスなどにより段取りがうまくいかなかったりした場合等のようないわゆるマイナス面での失敗事項を次の年の同じような行事の際に繰り返さないようにすることが重要である。
【００１６】
本発明の目的は、１年に一度又は数度しかない行事や手続等の予定、数年に一度しかない手続等の予定において得られた貴重な知識や経験、情報を来年に確実に反映させて再認識させ有効活用することができる来年ダイアリーを提供することにある。
【課題を解決するための手段】
【００１７】
最初に本発明を着想するに至った経緯について説明する。本発明に係る２名の発明者は母親と娘の関係にあり、母親が自分の関与する会社の経営に関わったり、娘の学校のＰＴＡの役員をしたり、運動会やピアノの発表会など娘の学校行事やその他の行事に参加したり、自分たち家族や親族の法事に参加したり、様々な年間行事をこなしていく過程において生じた問題が上述した解決すべき課題に該当するものである。そして、このような問題の発生に対して、娘が指摘したりアドバイスしたりする過程において、本発明を２人で共同して着想した経緯がある点に特徴がある。そこで、以下にその課題解決をするために２人が共同して着想した本発明について説明する。
【００１８】
上述の課題を解決するために、本発明の請求項１に係る来年ダイアリーは、
或る年の月ごとの各日の行事や手続等の予定、数年に一度しかない手続等の予定を記入可能な行事記入欄が記載された本年月別各日詳細スケジュール記入欄と、
前記本年月別各日詳細スケジュール記入欄に該当する月の重要メッセージを記入可能な本年月別重要メッセージシートを貼り付けることができる本年月別注意喚起欄と、
前記本年月別各日詳細スケジュール記入欄に対応する月の来年の月用に重要メッセージを記入可能な来年用月別注意喚起メッセージシートを剥離可能に貼り付けておくことができる来年用月別注意喚起欄と、
前記来年用月別注意喚起欄に剥離可能に貼り付けられた来年用月別注意喚起メッセージシートをそれぞれの月ごとに１年分有することを特徴としている。
【００１９】
１年に一度しか行わない行事や手続等の予定、数年に一度しかない手続等の予定の場合、これらが終わった直後においては、この行事や手続等の予定、数年に一度しかない手続等の予定をうまく行えなかった失敗の原因や、より良く行うための工夫を鮮明に意識して記憶しているが、日にちが経過するにつれてこれらの記憶は薄れていく。これは、いわゆる記憶に関するエビングハウスの忘却曲線からも明らかである。
【００２０】
そのため、従来においては、来年も同じような時期に同じような行事や手続等の予定、数年に一度しかない手続等の予定がある場合に、前の年に失敗したことや、前の年に思い付いた工夫をその時になって新たに鮮明に思い出すことが難しく、前の年に得られた貴重な体験や有効な情報を次の年の同じような時期に行われる行事や手続等の予定、数年に一度しかない手続等の予定に反映することができない。
【００２１】
同様に、従来においては、以上のような不都合な点は、手帳の片隅に行事や手続等の予定、数年に一度しかない手続等の予定に関する失敗や工夫を単にメモしていただけでも同様に生じる。つまり、翌日の新しいダイアリーにこれらの情報を転記するのが非常に面倒であると共に、転記する際にこれらの情報のそれぞれの重要度合い（重み付け）を鮮明に思い出すことができない。
【００２２】
しかしながら、請求項１に係る本願発明によると、このような問題を全て解決することができる。
【００２３】
また、本発明の請求項２に係る来年ダイアリーは、請求項１に記載の来年ダイアリーにおいて、
前記本年月別各日詳細スケジュール記入欄、本年月別注意喚起欄、来年用月別注意喚起欄に加えて、今年の該当する月の本年月別概略予定記入欄を備え、当該本年月別概略予定記入欄には、それぞれの日付ごとに別々に剥離可能に貼り付けられた各日概略予定記入ラベルが貼付され、かつ予定の変更や正式決定に伴い、既に予定記入済の各日概略予定記入ラベルと他の各日概略予定記入ラベルを交換するために貼り変え可能になっていることを特徴としている。
【００２４】
予め決められた行事が予定の大体の日程は定まっているが、正確な日にちの定まっていない行事や予定を各日予定記入ラベルに記載して本年月別概略予定記入欄の候補となる日にちに貼っておく。そして、その予定や行事の正式な日にちが決まった際に予定記入済の各日概略予定記入ラベルと他の各日概略予定記入ラベルを日程的に正しくなるように貼り替えれば良いので、正確な日程の決まっていない重要な行事や予定をいつでも確認して、その行事や予定の存在自体をうっかり忘れず確実に覚えておくことができ、使い勝手が良い。
【００２５】
なお、好ましくは、本発明に係る来年ダイアリーは、前記本年月別注意喚起欄が、前記本年月別各日詳細スケジュール記入欄とは別頁に設けられているのが良い。
【００２６】
また、好ましくは、本発明に係る来年ダイアリーは、前記来年用月別注意喚起欄が、前記本年月別各日詳細スケジュール記入欄及び前記本年月別注意喚起欄とは別頁に設けられていることを特徴としている。
【００２７】
また、好ましくは、本発明に係る来年ダイアリーは、前記１年分とは、特定の年の１月１日から１２月３１日までか、特定の年度の４月１日から次年度の３月３１日までであるのが良い。
【発明の効果】
【００２８】
本発明によると、１年に一度又は数度しかない行事や手続等の予定、数年に一度しかない手続等の予定において得られた貴重な知識や経験、情報を来年に確実に反映させて再認識させ有効活用することができる来年ダイアリーを提供することができる。
【図面の簡単な説明】
【００２９】
【図１】本発明の一実施形態に係る来年ダイアリーを示す平面図である。
【図２】図１に示した未使用の来年ダイアリーの１０月分の１頁目（図中左側の（１６）１０−１頁参照）と２頁目（図中右側の（１６）１０−２参照）を見開いた状態で示す説明図である。
【図３】図１に示した未使用の来年ダイアリーの１０月分の３頁目（図中左側の（１６）１０−３頁参照）と４頁目（（図中右側の（１６）１０−４頁参照）を見開いた状態で示す説明図である。
【図４】図１に示した未使用の来年ダイアリーの１０月分の５頁目（図中左側の（１６）１０−５頁参照）と６頁目（（図中右側の（１６）１０−６頁参照）を見開いた状態で示す説明図である。
【図５】図１に示した来年ダイアリーを実際に使用している状態を説明する図２に対応する図である。
【図６】図１に示した来年ダイアリーを実際に使用している状態を説明する図３に対応する図である。
【図７】図１に示した来年ダイアリーを実際に使用している状態を説明する図４に対応する図である。
【図８】図１に示した来年ダイアリーを図５に示した状態から更に使用し続けた状態を説明する図である。
【図９】図１に示した来年ダイアリーを図６に示した状態から更に使用し続けた状態を説明する図である。
【図１０】図１に示した来年ダイアリーを図７に示した状態から更に使用し続けた状態を説明する図である。
【発明を実施するための形態】
【００３０】
本発明に係る来年ダイアリーは、或る年の月ごとの各日の行事や手続等の予定、数年に一度しかない手続等の予定を記入可能な行事記入欄が記載された本年月別各日詳細スケジュール記入欄と、本年月別各日詳細スケジュール記入欄に該当する月の重要メッセージを記入可能な本年月別重要メッセージシートを貼り付けることができる本年月別注意喚起欄と、本年月別各日詳細スケジュール記入欄に対応する月の来年の月用に重要メッセージを記入可能な来年用月別注意喚起メッセージシートを剥離可能に貼り付けておくことができる来年用月別注意喚起欄と、来年用月別注意喚起欄に剥離可能に貼り付けられた来年用月別注意喚起メッセージシートをそれぞれの月ごとに１年分有している。
【００３１】
また、本発明に係る来年ダイアリーは、本年月別各日詳細スケジュール記入欄、本年月別注意喚起欄、来年用月別注意喚起欄に加えて、今年の該当する月の本年月別概略予定記入欄を備え、本年月別概略予定記入欄には、それぞれの日付ごとに別々に剥離可能に貼り付けられた各日概略予定記入ラベルが貼付され、かつ予定の変更や正式決定に伴い、既に予定記入済の各日概略予定記入ラベルと他の各日概略予定記入ラベルを交換するために貼り変え可能になっている。
【００３２】
そして、本年月別注意喚起欄は、本年月別各日詳細スケジュール記入欄とは別頁に設けられている。また、来年用月別注意喚起欄は、本年月別各日詳細スケジュール記入欄及び本年月別注意喚起欄とは別頁に設けられている。なお、本発明に関しては、このように本年月別注意喚起欄、本年月別各日詳細スケジュール記入欄、来年用月別注意喚起欄、及び本年月別注意喚起欄同士は必ずしも別頁に設けられている必要はない。
【００３３】
また、本発明に係る来年ダイアリーの１年分とは、特定の年の１月１日から１２月３１日までを指しているが、特定の年度の４月１日から次年度の３月３１日までであっても良い。
【００３４】
以下、本発明の各実施の形態に係る来年ダイアリーを図面に基づいて詳細に説明する。図１は、本発明の一実施形態に係る来年ダイアリーを示す平面図である。また、図２は、図１に示した未使用の来年ダイアリーの１０月分の１頁目（図中左側の（１６）１０−１頁参照）と２頁目（図中右側の（１６）１０−２参照）を見開いた状態で示す説明図である。また、図３は、図１に示した未使用の来年ダイアリーの１０月分の３頁目（図中左側の（１６）１０−３頁参照）と４頁目（（図中右側の（１６）１０−４頁参照）を見開いた状態で示す説明図である。また、図４は、図１に示した未使用の来年ダイアリーの１０月分の５頁目（図中左側の（１６）１０−５頁参照）と６頁目（（図中右側の（１６）１０−６頁参照）を見開いた状態で示す説明図である。
【００３５】
なお、以下の説明においては、図面との対比で１０月分の各日付について説明するが、他の月、即ち１月から９月、１１月及び１２月の各月の説明についても同様である。また、以下の説明において、各符号に関しては、括弧の付いていない符号はその年の来年ダイアリーの該当する部位を表し、括弧の付いている符号はその年の来年ダイアリーの次の年（翌年）に使用する来年ダイアリーの該当する部位、若しくはその年より１年前（昨年）に使用した来年ダイアリーの該当する部位を表すものとする。
【００３６】
本発明の一実施形態に係る来年ダイアリー１（以下、適宜単に「来年ダイアリー１」とする）の本年月別各日詳細スケジュール記入欄３０は、或る年の月ごとの各日の行事や手続等の予定、数年に一度しかない手続等の予定を記入可能な行事記入欄である。具体的には、図３に示すように、２０１６年１０月の各日付がそれぞれ正方形で並んでカレンダー状に配置され、その各日付の中に各日の行事や手続等の予定、数年に一度しかない手続等の予定を記入可能となっている。
【００３７】
更には、来年ダイアリー１には、今年の本年月別各日詳細スケジュール記入欄３０に加えて、図４の左側に示すように、来年のそれぞれの日付の予定を記入可能な来年用月別スケジュール記入欄５０が配置されている。
【００３８】
また、来年ダイアリー１には、図２の左側に示すように、本年月別注意喚起欄１０が設けられている。ここには、来年ダイアリー１の使用前には何もメッセージシートが貼られていない状態となっている。そして、１年前に使用した来年ダイアリー（１）において来年ダイアリー（１）の来年用月別注意喚起欄（６０）に貼り付けておいた記入済の来年用月別注意喚起メッセージシート（６１，６２，６３，・・・）を剥がしてその次の年、即ち本年の来年ダイアリー１の本年月別注意喚起欄１０に貼り付けるようになっている（図５における１年前の来年ダイアリーから剥がして貼り付けた本年月別重要メッセージシート１１，１２，１３，・・・参照）。
【００３９】
これによって、１年前の該当する月における重要なメッセージをこの来年ダイアリー１の使用者の記憶に、時間の経過による忘却を防ぎつつ、鮮明に留めておくことができ、かつこれらを適宜好ましいタイミングで思い出すことができる。
【００４０】
なお、本年月別注意喚起欄１０は、図２、図５、図８の左側に示すように、本年月別各日詳細スケジュール記入欄３０に該当する月の重要メッセージを記入可能な本年月別重要メッセージシート１１，１２，１３，・・・（即ち、１年前の来年ダイアリー（１）から剥がした来年用月別注意喚起メッセージシート（６１，６２，６３，・・・）に相当）を複数枚同時に貼り付けるのに十分な大きさを有している。
【００４１】
以下の説明から明らかなように、或る年の来年ダイアリー１の来年用月別注意喚起欄６０に貼り付けた来年用月別注意喚起メッセージシート６１，６２，６３，・・・は、これを剥がしてその次の年の新たに入手した来年ダイアリー１の本年月別注意喚起欄（１０）に本年月別重要メッセージシート（１１，１２，１３,・・・）として貼り付けるようになっている。
【００４２】
また、来年ダイアリー１には、図４の右側に示すように、来年用月別注意喚起欄６０が設けられている。この来年用月別注意喚起欄６０は、本年月別各日詳細スケジュール記入欄３０に対応する月（図３では１０月）の来年の月（図４では来年の１０月）用にメッセージを記入可能な来年用月別注意喚起メッセージシート６１，６２，６３，・・・を複数枚貼り付けておくための役目を果たしている。
【００４３】
そして、ここでいう来年用月別注意喚起メッセージシート６１，６２，６３，・・・は、前述したように来年用月別注意喚起欄６０に複数枚予め貼り付けられており、その月におけるこの月に対応する来年の月のための重要事項や注意喚起事項を記入しておく。そして、その月が経過した後や来年ダイアリー１の使用する年が終わった後に、これらの来年用月別注意喚起メッセージシート６１，６２，６３，・・・をこの来年ダイアリー１の来年用月別注意喚起欄６０から手で剥がしてその次の年に使用する来年ダイアリー（１）の本年月別注意喚起欄（１０）に貼り付けるようになっている。
【００４４】
なお、来年用月別注意喚起メッセージシート６１，６２，６３，・・・は、これが貼られた年の来年カレンダーの来年用月別注意喚起欄６０から剥離可能であって、その次の年の来年カレンダーの本年月別注意喚起欄１０に剥がれることなく貼り付いたままとなる程度の粘着力を有した紙でできたシートの形態を有している。なお、このシートの片方の端部の裏面の一部は、接着領域となっておらず、この裏面の一部を剥離用耳部として指で引っ張って来年用月別注意喚起欄６０から簡単に剥がすことができるようになっている。
【００４５】
また、来年ダイアリー１は、それぞれの月ごとに上述した本年月別各日詳細スケジュール記入欄３０（図３参照）、本年月別注意喚起欄１０（図２参照）、来年用月別注意喚起欄６０（図４参照）に加えて、図２の右側に示すように、今年の該当する月の本年月別概略予定記入欄２０を備えている。
【００４６】
ここでいう本年月別概略予定記入欄２０には、それぞれの日付ごとに別々に剥離可能に貼り付けられた各日概略予定記入ラベル２１，２２，２３,・・・が貼付され、かつ予定の変更や正式決定に伴い、既に予定記入済の各日概略予定記入ラベル２１，２２，２３,・・・と他の各日概略予定記入ラベル２１，２２，２３,・・・を交換するために貼り変え可能になっている。
【００４７】
なお、各日概略予定記入ラベル２１，２２，２３,・・・には台紙から剥がして再び貼り付けることができる市販のラベルシートと同等の粘着力を有する剥離及び貼り付け可能な粘着シートが用いられている。この際、各日概略予定記入ラベルの何れかの隅部にこのシートを容易に剥離させることができる非粘着部が備わっていると使い勝手がより向上する。
【００４８】
以上説明したように、本実施形態における来年ダイアリー１においては、図２乃至図４（図５乃至図７、図８乃至図１０）に示すように本年月別注意喚起欄１０は、本年月別各日詳細スケジュール記入欄３０とは別頁に設けられている。また、来年用月別注意喚起欄６０は、本年月別注意喚起欄１０及び本年月別各日詳細スケジュール記入欄３０とは別頁に設けられている。
【００４９】
具体的には、例えば１０月分の割り当て頁が６頁分ある場合、本年月別注意喚起欄１０は、１０月分の割り当て頁の２頁目の左側（図２、図５、図９の（１６）１０−１頁参照）に配置され、１０月分の割り当て頁の２頁目の右側（図２、図５、図９の（１６）１０−２頁参照）にはそれぞれの日付に各日概略予定記入ラベル２１，２２，２３,・・・が貼付された１０月分の本年月別概略予定記入欄２０が配置されている。
【００５０】
また、１０月分の割り当て頁の３頁目と４頁目には、１０月のそれぞれの日付の予定を記入可能な本年月別各日詳細スケジュール記入欄３０が配置されている（図３、図６、図９参照）。
【００５１】
そして、１０月分の割り当て頁の５頁目には、来年のそれぞれの日付の予定を記入可能な来年用月別スケジュール記入欄５０が配置されている（図４、図７、図１０の左側である（１６）１０−５頁参照）。
【００５２】
更には、１０月分の割り当て頁の６頁目には来年用月別注意喚起欄６０が配置され、複数枚の来年用月別注意喚起メッセージシート６１，６２，６３，・・・が貼り付けられている（図４、図７、図１０の右側である（１６）１０−６頁参照）。そして、この来年用月別注意喚起欄６０に貼り付けられた複数枚の来年用月別注意喚起メッセージシート６１，６２，６３，・・・にそれぞれ来年のための注意事項を記入した後、翌年の来年カレンダー（１）を購入した時など適当な時期にこの来年用月別注意喚起メッセージシート６１，６２，６３，・・・を剥がして翌年の来年カレンダー（１）の本年月別注意喚起欄（１０）に本年月別重要メッセージシート（１１，１２，１３,・・・）として貼り付け可能なようになっている。
【００５３】
本実施形態の場合、このように１０月分の割り当て頁が６頁に亘っており、係る各月の６頁分の割り当て頁が１月から１２月までそれぞれ割り当てた状態で１年分として１冊に閉じられ、合計の頁数が表紙を除いて７２頁となって、図１に示すようなその年用の来年ダイアリー１を構成している。なお、本実施形態に係る来年ダイアリー１の１年分とは、上述したように特定の年の１月１日から１２月３１日までを指しているが、これとは別に特定の年度の４月１日から次年度の３月３１日までであっても良い。
【００５４】
続いて、本実施形態に係る来年ダイアリー１の具体的使用方法を好ましい手順に沿って説明する。なお、本実施形態については、１月から１２月のうち、代表してこの来年ダイアリー１の１０月のスケジュール記入についての具体的使用方法を、第１ステップとこれに続く第２ステップに分けて説明する。
【００５５】
ここで第１ステップは１０月のスケジュール記入途中の段階を表わし、第２ステップは１０月のスケジュール記入を完了した段階を表わしている。
【００５６】
なお、以下の説明において来年用月別注意喚起欄６０に記入した具体的な内容（特に図５、図８の左側の本年月別注意喚起欄１０及び図７、図１０の右側の来年用月別注意喚起欄６０）については、本発明の理解の容易化を図るために１０月以外の行事に関する注意喚起の内容も含んでいるが、実際にはそれぞれの月にあった行事の内容をそれぞれの月の来年用月別注意喚起欄６０に記入するのが、この来年ダイアリー１を使用するにあたって好ましい。
【００５７】
最初に、この第１ステップについて図５乃至図７に基づいて説明する。図５は、図１に示した来年ダイアリーを１０月において実際に使用中の状態（第１ステップ）を説明する図２に対応する図である。また、図６は、図１に示した来年ダイアリーを１０月において実際に使用中の状態（第１ステップ）を説明する図３に対応する図である。また、図７は、図１に示した来年ダイアリーを実際に使用している状態（第１ステップ）を説明する図４に対応する図である。
【００５８】
図５に示す見開きの左側の頁（（１６）１０−１頁）の本年月別注意喚起欄１０においては、本実施形態に係る２０１６年版より１年前の２０１５年版の来年ダイアリーにおいて記入した来年用月別注意喚起メッセージシート（６０（６１，６２，６３，・・・））をその１０月の来年用月別注意喚起欄（６０）から剥がして本実施形態に係る来年ダイアリーの本年月別注意喚起欄１０に貼り付ける。
【００５９】
なお、前年の来年ダイアリー（１）の来年用月別注意喚起欄（６０）から剥がした来年用月別注意喚起メッセージシート（６１，６２，６３，・・・）は、本年の来年ダイアリー１の本年月別注意喚起欄１０にそのまま月別重要メッセージシート１１，１２，１３,・・・として貼り付けられ再利用されることになる。即ち、この貼り替えられたシートに記入された内容については、年が変わるごとに記入し直す手間が省かれている。
【００６０】
また、図５においては、上述したように説明の都合上、１０月の行事に直接関係しない内容も含まれている。図５の本年月別注意喚起欄１０においては、結婚記念日の日にち、１０月行われる運動会に持っていく必需品、テーマパークに家族で行く際に持って行く必需品、例えば自分の甥や姪など自分の祖母の孫の誕生日、１年前となる昨年の１０月に友達家族と約束した今年の１０月の秋の紅葉狩りの日程調整、お正月に向けての子供たちのお年玉の具体的な金額等を昨年の来年ダイアリーに記載した来年用月別注意喚起メッセージシート（６１，６２，６３，・・・）を本実施形態に係る来年ダイアリー１に貼り替えている。
【００６１】
図５に示す見開きの右側の頁（（１６）１０−２頁）の本年月別概略予定記入欄２０には、本年１０月に行われる行事で日にちは決まっている内容のものを記載している。具体的には、祖母にとっての孫の誕生日、娘の運動会、娘の誕生日、父の命日、結婚記念日、夫の誕生日、紅葉狩りの項目が記載されている。なお、この記載の中で紅葉狩り以外は既に使用済みの昨年の来年ダイアリー（１）の本年度月別概略記入欄（２０）に貼り付けられる既に予定内容が記入済みの各日概略予定記入済ラベル（２１，２２，２３，・・・）の一部を剥がして再利用できる。
【００６２】
具体的には、本年月別概略予定記入欄（２０）に貼り付けられていた各日概略予定記入ラベル２１，２２，２３,・・・を剥がすと共に、本年の来年ダイアリーの上記行事に該当する日の未記入の各日概略予定記入ラベル２１，２２，２３,・・・を剥がして、昨年度記入済みの各日概略予定記入ラベル（２１，２２，２３,・・・）をそれぞれこれに対応する日付の部分に貼り付ける。
【００６３】
つまり、本実施形態においては、本年月別概略予定記入欄２０において新たに手書きで記入する行事内容は「紅葉狩り」だけとなり、それ以外の行事内容は特別手書きで記入することなく、昨年の来年ダイアリー（１）の各日概略予定記入ラベル（２１，２２，２３,・・・）をそのまま再利用可能となり、行事内容の記入の手間が省けて行事記入作業の煩雑さを殆どなくすことができる。
【００６４】
図６における本年月別各日詳細スケジュール記入欄３０に記載された行事内容は、上述した本年月別概略予定記入欄２０に記入された行事内容と基本的に同じ内容となっているが、本年月別各日詳細スケジュール記入欄３０は、来年ダイアリーの見開き２頁（図６に示す左側の（１６）１０−３頁及び右側の（１６）１０−４頁参照）を利用しているので、内容を記入するスペースが広くなっており、各行事においてより細かい注意事項があったりこれを思い付いたりした場合に、この本年月別各日詳細スケジュール記入欄３０を構成するそれぞれの日ごとの各日詳細内容記入部３１，３２，３３，・・・の余白に更に記入することができる。これによって、本実施形態においては、１０月の各行事を行うにあたっての更に詳細な注意事項を本年月別各日詳細スケジュール記入欄３０に記入して、その行事を問題なく円滑に遂行することが可能となる。
【００６５】
図７に示す見開きの左側の頁（（１６）１０−５頁）の来年用月別スケジュール記入欄５０には、第１ステップの段階で確定した日付の来年の行事が書き込まれている。具体的には、来年の娘の誕生日、父の命日、結婚記念日、夫の誕生日等が書き込まれている。また、図７に示す見開きの右側の頁（（１６）１０−６頁）の来年用月別注意喚起欄６０には、この段階で来年の１０月に向けて行われる確定した行事の注意事項を記載した来年用月別注意喚起メッセージシート６１，６２，６３，・・・が貼り付けられている。これらの来年用月別注意喚起メッセージシート６１，６２，６３，・・・に関しては、図５に示す見開きの左側の頁（（１６）１０−１頁）の本年月別注意喚起欄１０に貼られたシートであって、内容を既に記載済の来年用月別注意喚起メッセージシート（６１，６２，６３，・・・）を本年月別注意喚起欄１０から剥がすと共に、図７に示す来年用月別注意喚起欄６０に貼られた未記入の来年用月別注意喚起メッセージシート６１，６２，６３，・・・を剥がして、これに図５に示す先程５頁から剥がした既に昨年において記載済の来年用月別注意喚起メッセージシート６１，６２，６３，・・・）を貼り付けることで、これらの記載作業を省略することができるので、行事内容の記入の手間が省けて好ましい。
【００６６】
続いて、１０月の行事を全て終えた際における上述の実施形態に係る来年ダイアリー１の使用状態（第２ステップ）について説明する。図８は、図１に示した来年ダイアリーを図５に示した状態（第１ステップ）から更に使用し続けた状態（第２ステップ）を説明する図である。また、図９は、図１に示した来年ダイアリーを図６に示した状態（第１ステップ）から更に使用し続けた状態（第２ステップ）を説明する図である。また、図１０は、図１に示した来年ダイアリーを図７に示した状態（第１ステップ）から更に使用し続けた状態（第２ステップ）を説明する図である。
【００６７】
図８に示す見開きの右側の頁（（１６）１０−２頁）の本年月別概略予定記入欄２０には、基本的には図５に示した内容と同様の行事内容が記載されている。しかしながら、第１ステップで図５に行事を記入した後に新たな行事が生じた場合、その新たな行事が追加して記載されることがある。
【００６８】
具体的には、図８において、ピアノ発表会と健康診断の行事を追加して記入している。なお、本実施形態に係る来年ダイアリーを使用後、更に翌年（即ち２０１７年）の来年ダイアリーを購入した場合、翌年の１０月に行われることが既に決まっている行事については、第２ステップにおいて図８に示す本年月別概略予定記入欄２０の各日概略予定記入ラベル２１，２２，２３,・・・を適宜剥がして翌年の来年ダイアリー（１）の本年月別概略予定記入欄２０に貼り付ける。
【００６９】
図８の左側に示す本年月別注意喚起欄１０に貼られた本年月別重要メッセージシート１１，１２，１３,・・・の内容は、基本的に図５に示した内容と同等であるが、必要に応じて第１ステップ後に新たな行事を行うことになった場合や、又はその内容を追加したり、行事が急に中止になった場合は、その内容を消したり、行事の日程が変更になった場合は、各日概略予定記入ラベル２１を正しい行事予定日に貼り替えたりする。
【００７０】
また、図９に示す本年月別各日詳細スケジュール記入欄３０に記載された内容は、基本的に図６に示す本年月別各日詳細スケジュール記入欄３０に記載された内容と同等であるが、第１ステップから第２ステップに至るまでに各行事のより詳細な情報を記入したり、突発的に新たな行事が生じたりした場合に、それらの情報や内容が追加して記載されることがある。具体的には。図６と比較して分かるように、娘のピアノ発表会、妹の誕生日、紅葉狩り、市の健康診断期限が追加で記載してある。
【００７１】
また、図１０に示す見開きの左側の頁（（１６）１０−５頁）の来年用月別スケジュール記入欄５０には、第１ステップの段階で確定した日付の来年の行事及びこれに加えて第１ステップから第２ステップの間で新たに生じた行事の予定が記載される。また、図１０に示す見開きの右側の頁（（１６）１０−６頁）の来年用月別注意喚起欄６０には、上述したように第１ステップの時期において来年の１０月に向けて行われる確定した行事の注意事項を記載した来年用月別注意喚起メッセージシート６１，６２，６３，・・・が貼り付けられている。更には、これが行事の中で今年行われた行事においてうっかり持っていき忘れた物やその行事を行う際にあったら便利であったものをこれらの来年用月別注意喚起メッセージシート６１，６２，６３，・・・を必要に応じて追加して記入しておく。
【００７２】
具体的には、本実施形態の場合、図７と図１０を比較して分かるように、来年用月別注意喚起メッセージシート６１，６２，６３，・・・のうち、春のお彼岸と秋のお彼岸の来年用月別注意喚起メッセージシートには、今年ライターを持っていき忘れて墓参りの際にお線香に火を付けるのにマッチやライターを探し回らなければならない面倒な思いをしたので、来年にはこのようなことがないように、それぞれ「マッチ持参」と追加記入して、注意喚起を行うようになっている。同様に、お年玉の金額に関しては、来年親戚の子供の１人が、高校生から大学生になるので、高校生の金額のお年玉をうっかり間違えてあげないように大学生にあげるお年玉の額を追加して記載してある。また、家族旅行で行くテーマパークについての来年用月別注意喚起メッセージシートに関しては、今年テーマパークに行った際に食事をするときに使用する除菌タオルを忘れてわざわざ近くのトイレを探して手を洗ってから食事をした体験と、急に雨が降ってきて雨宿りするための場所を探し回った際にびしょ濡れになった苦い経験から、来年用月別注意喚起メッセージシートに「除菌タオル」と「折り畳み傘」を必ず持参するように新たに記載してある。また、運動会に関する来年用月別注意喚起メッセージシートについても、上述したテーマパークの場合と同等の理由で汗拭き用のタオル及び除菌ペーパーを追加して記載してある。
【００７３】
以上のように、来年用月別注意喚起メッセージシートに今年特に問題として気がついた改善点を追加記載してあるので、次の年の来年ダイアリーを購入した際にこの問題点改善の情報を追加記載したシートを含めた来年用月別注意喚起メッセージシート６１，６２，６３,・・・を、本実施形態に係る今年の来年用月別注意喚起欄６０から剥がして次の年の図２、図５、図８に示す本年月別注意喚起欄１０に必要なものについて貼り付けることで、上述したような失敗を来年は繰り返さないようにする。即ち、来年の該当する月になったら本年得られた貴重な経験に基づく注意事項を再確認して思い出し、今年の貴重なインフォメーション（情報）を翌年にフィードバックするようになっている。
【００７４】
なお、以上説明した本発明に係る来年ダイアリーの使用の仕方の手順（ステップ）は、あくまで一例を示したものに過ぎず、他の手順（ステップ）によってもこの来年ダイアリー１を効果的に使用できることは言うまでもない。
【００７５】
以上の説明において、この来年カレンダーの次の年の新しい来年カレンダーを既に入手している場合は、この年の来年カレンダー１の来年用月別注意喚起欄６０におけるそれぞれ注意喚起事項を記入済みの来年用月別注意喚起メッセージシート６１，６２，６３，・・・を剥がして、次の年の新しい来年カレンダー（１）の本年月別注意喚起欄（１０）に貼り付けておく。
【００７６】
来年カレンダー１の次の年の新しい来年カレンダー（１）をまだ入手していない場合は、以上の記入作業を各月ごとに行い、年末の１２月末日になって次の年の新しい来年カレンダー（１）を入手した時に、既に記入済みの各月の来年カレンダー１の来年用月別注意喚起欄６０におけるそれぞれ注意喚起事項を記入済みの来年用月別注意喚起メッセージシート６１，６２，６３，・・・を剥がして、次の年の対応する月の新しい来年カレンダー（１）の本年月別注意喚起欄（１０）に貼り付ける。
【００７７】
来年カレンダー１を以上のような方法で使用することによって、日付の正確に決まっていない行事や手続等の予定、数年に一度しかない手続等の予定に関しては、本年月別概略予定記入欄２０において各日概略予定記入ラベル２１，２２，２３,・・・を仮貼り付けするので、その行事や手続等の予定、数年に一度しかない手続等の予定をうっかり失念することなく、正確な日付が確定した段階で、その各日概略予定記入ラベル２１，２２，２３,・・・を、必要に応じて適宜、本年月別概略予定記入欄２０の正確な日付に貼り替えることができる。
【００７８】
また、本年月別各日詳細スケジュール記入欄３０において既に決まっている行事や手続等の予定、数年に一度しかない手続等の予定の詳細情報を予め細かく記入しておくことによって、その行事や手続等の予定、数年に一度しかない手続等の予定を問題なく終えることができる。
【００７９】
また、その月に行われた行事や手続等の予定、数年に一度しかない手続等の予定が再び来年同じ月に行われたり、来年は別の月に行われることが予め判明したりした場合、この来年カレンダー１の来年用月別スケジュール記入欄５０の該当する月の各日概略内容記入部５１，５２，５３，・・・にこの行事や手続等の予定、数年に一度しかない手続等の予定を予め記入しておくことで、次の年の来年カレンダー（１）にこの情報を正確に移し替えることができ、その次の年のうっかりミスによる行事や手続等の予定、数年に一度しかない手続等の予定を忘れてしまったり、これらの準備を怠ってしまったりすることがなくなる。
【００８０】
また、本年月別各日詳細スケジュール記入欄３０に記入した行事や手続等の予定、数年に一度しかない手続等の予定が終わった段階で、同じような行事や手続等の予定、数年に一度しかない手続等の予定が来年も同時期に行われる場合、この行事や手続等の予定、数年に一度しかない手続等の予定を行う際にうっかりと失念した事項や、同様の行事や手続等の予定、数年に一度しかない手続等の予定を翌年に特に問題を生じさせること無く行なえるような工夫やアイディアを、来年用月別注意喚起欄６０の来年用月別注意喚起メッセージシート６１，６２，６３，・・・にそれぞれの行事や手続等の予定、数年に一度しかない手続等の予定ごとに記入し、この有用な注意喚起情報を記載した来年用月別注意喚起メッセージシート６１，６２，６３，・・・を次の年の来年カレンダー（１）の該当する月の本年月別注意喚起欄（１０）に、その行事や手続等の予定、数年に一度しかない手続等の予定が終わったときや、年末になって新しい来年カレンダー（１）に変える際に貼り替えることによって、上述したそれぞれの月ごとにその前年に経験した貴重な知識や情報を生かしながら、更に良いアイディアや工夫をその次の年の行事や手続等の予定、数年に一度しかない手続等の予定に反映させることができ、その次の年の行事や手続等の予定、数年に一度しかない手続等の予定を更に効率良く遂行することができるようになる。
【００８１】
以上の説明から明らかなように、本発明に係る来年カレンダーの最大の特徴は、粘着力の弱いシールタイプの紙でできたシートを使い、予定等を記入したものをそのまま来年に使用したり、計画が変更になった場合でも、例えばボールペンで書いたところを消したりすることなく、シールタイプの紙を剥がして自由に移動させることができることにある。
【００８２】
そして、本発明に係る来年カレンダーによると、来年の自分のための手帳として大切に利用することができる。この具体的なメリットとして、以下のように様々なものが挙げられる。最初に、今年起きたことを参考に来年に備え、メッセージを残し、来年の手帳にそのまま「棚卸し」ができる。
【００８３】
次いで、来年カレンダーを見ながら１年後の計画を具体的に立てることができる。更には、大まかに予定していたことを記入し、具体的に決定した日に直接貼っていくことができるなど、使用方法は様々で自由である。
【００８４】
即ち、ビジネス、家計簿、生徒や学生の学校における毎年同じ時期に行われる定期試験対策、社会人の資格試験に関する勉強の計画など、来年のことも考えながら、過去の自分の経験から色々なことを学ぶことができる。
【００８５】
以上に加えて、本発明に係る来年カレンダーを日常的に使うことによって、子供から大人まで老若男女全ての人々がＰＤＣＡサイクルを学ぶことができ、日常生活の中でＰＤＣＡの行動様式を行うことが習慣付けられ、将来に向けて前向きな姿勢で生活することができるようになる。なお、ここでいうＰＤＣＡとは以下の通りである。
Ｐ：Ｐｌａｎ…目標を設定し、それを具体的な行動計画に落とし込むことを言う。
Ｄ：Ｄｏ…組織構造と役割を決めて人員を配置し、組織の構成員の動機付けを図りながら、具体的な行動を指揮したり命令したりすることを言う。
Ｃ：Ｃｈｅｃｋ…途中で成果を測定や評価することを言う。
Ａ：Ａｃｔｉｏｎ…必要に応じて修正を加えることを言う。
【００８６】
本発明に係る来年カレンダーを使用して以上のＰＤＣＡの一連のサイクルが終わったら、反省点を踏まえて、再計画へのプロセスに入り、時期も新たなＰＤＣＡサイクルを進める。
【００８７】
以下に、本発明を利用する種々の状況におけるＰＤＣＡサイクルの有効活用パターンを実施例として記載する。
（上記実施例１：来年ダイアリーを用いたＰＤＣＡサイクルの有効活用パターン）
ビジネスにおいて来年ダイアリーを用いた場合のＰＤＣＡサイクルの有効活用パターンについて説明する。具体的には、会社ごとのスケジュールを作成し、従業員全員が本発明に係る来年ダイアリーを使用することにより、自然と目標設定することができる。これによって、一度失敗したことを翌月、来年と貼り替えていくことで、同じ失敗を未然に防ぐ効果がある。更に配置転換等で引き継ぎをする際等において、本発明に係る来年ダイアリーを用いることによって、この来年ダイアリーに既に記載済の顧客情報や他社情報をそのまま利用することができ、無駄な引継ぎ作業を行うことなく使い勝手が良い。
（上記実施例２：来年ダイアリーを用いたＰＤＣＡサイクルの有効活用パターン）
主婦が来年ダイアリーを用いた場合のＰＤＣＡサイクルの有効活用パターンについて説明する。具体的には、本発明に係る来年ダイアリーの各種ラベルシートを以下のように貼っておくことで、季節ごとの行事や手続等の予定、数年に一度しかない手続等の予定に対応し易い。例えば、以下のようなものが考えられる。
（１）１２月頃のインフルエンザの予防接種に関しては、この予定を該当する時期に予め貼っておく。
（２）２月のバレンタインデーの限定チョコレートを予約するために、この予定を該当する時期に予め貼っておく。
（３）２月頃の花粉対策と、早めに薬をもらいに病院へ行くように、この予定を該当する時期に予め貼っておく。
（４）３月末の卒業式の衣裳の予約に関しては、この予定を夏のうちに予め貼っておく。
（５）４月から新たに定期券を買うときに、直前になると券売所が非常に混むので、この予定を該当する時期に予め貼っておく。
（６）４月上旬のお花見の時に毛布があった方がよかったら、この予定を予め貼っておく。
（７）例えば、１０月以降の子供の学校行事や手続等の予定、数年に一度しかない手続等の予定に合わせて旅行の計画を立てるときに、この予定を該当する時期に予め貼っておく。
（８）８月のお盆の頃のお祭りの際に持って行くものを決めておいて、この予定を該当する時期に予め貼っておく。
（９）例えば、１０月にピアノやバレエの発表会がある場合、６ヶ月前から前髪を伸ばす等の内容を該当する時期、即ち４月の欄にこの予定を予め貼っておく。
（上記実施例３：来年ダイアリーを用いたＰＤＣＡサイクルの有効活用パターン）
学生が来年ダイアリーを用いた場合のＰＤＣＡサイクルの有効活用パターンについて説明する。具体的には、学生の定期試験対策や大学受験の際に現役の学生が浪人に備える場合に有用である。具体的には、受験に備え、勉強の計画を立て、苦手な科目や間違い易い問題等を試験の日の該当する時期に学習計画に関する予定を本発明に係る来年ダイアリーの各種ラベルシートに記入して予め貼っておく。
【００８８】
なお、学生だけでなく、社会人が働きながら難易度の高い資格試験であって１年で受かることが難しく何年も繰り返し受験しなければならない資格試験を受験する場合においても同様の使い方ができ、利用価値が高い。
【００８９】
以上の説明から分かるように、或る年に行われた行事の事前準備で思い付いた改善点やその行事にたまたま持っていって非常に役立った物などのいわゆるプラス面でのうまくいったことを、翌年の同じような行事に反映させると、毎年行われる行事の確実な事前準備や行事自体を行うにあたって何ら失敗することなくその行事を快適に行うことができる。その結果、その行事の参加者からも好ましい評価や十分な感謝の気持ちを伝えてもらうことができ、家族間や親族間、行事参加者間における人々との人間関係を良好に保ったりよりよくしたりしながら毎年定期的に繰り返される行事を問題なく取り行っていくことができ、豊かで実りがある人生を送る一役を買うことができる。
【００９０】
また、毎年繰り返す例えば春先のスギ花粉によるアレルギー性鼻炎に悩まされる人にとって、或る年たまたま非常に効果があることが分かった市販薬を使った場合に、その市販薬の名前や、これを安く購入できる薬局の場所と名前を来年用月別管理メッセージシートに記入しておけば、毎年その時期に悩まされるアレルギー性鼻炎の煩わしさを極力少なくすることができる。これと同様にこのようなアレルギー性鼻炎を抑えるのに非常に効果があった病院の医師の名前や耳鼻科の名前を来年用月別管理メッセージシートに記入しておけば、通常は１年経つとうっかり忘れてしまいがちな有用な経験を、本発明に係る来年ダイアリーを利用することで、再確認して鮮明に思い出すことができる。その結果、翌年の春先にその病院の医師や耳鼻科を尋ねることで、再びアレルギー性鼻炎に煩わされないようになる。
【００９１】
なお、上述の実施形態は、本発明の作用を発揮するための好ましい実施形態の一例を示したものであり、本発明の作用を発揮することができる範囲内であれば様々な変形例が考えられる。
【００９２】
具体的には、例えば注意喚起メッセージシートを、可愛らしい生き物を模したキャラクターのシートの形態や綺麗な草花のシートの形態にすれば、行事や日々の出来事を記入する手帳などを使い始めた子供たちがこの来年カレンダーを喜んで使うことができる。その結果、毎年定期的に行われる行事の管理を通じて年間スケジュールの管理の重要性を早い時期から学ぶことができると共に、その年間行事などのスケジュール管理能力を早い段階で身に付けることが可能となる。
【００９３】
また、年月を追うごとに繰り返し行われる行事において失敗を繰り返したりすることがなくなり、かつこれらの行事をより上手に行なえるようになる。その結果、年間行事を楽にこなしていけるようになり、多くの楽しい思い出を作ることができる上、より積極的な人生を送る喜びを小さい頃から学ぶことができる。
【００９４】
また、各図面においては「本年月別注意喚起欄」や「本年月別重要メッセージシート」、「本年月別概略予定記入欄」や「各日概略予定記入ラベル」、「本年月別各日詳細スケジュール記入欄」や「各日詳細内容記入部」、「来年用月別スケジュール記入欄」や「各日概略内容記入部」、「来年用月別注意喚起欄」や「来年用月別注意喚起メッセージシート」を引き出し線で示したが、来年ダイアリーの例えば上部や下部に余白を設けてこれらの内容を直接表示し、使い勝手を向上させても良い。
【００９５】
更には、上述の表示内容に加えて、本発明に係る来年ダイアリーの使用方法を併記しても良い。具体的には「本年月別注意喚起欄」の表示の下に、「昨年使用した来年ダイアリーの来年用月別注意喚起メッセージシートを必要に応じて添付しましょう。」と記載し、「本年月別概略予定記入欄」の表示の下に「今月の概略予定をとりあえず記載するか、昨年使用した来年ダイアリーの本年月別概略予定記入欄の各日概略予定記入ラベルを適宜剥がして貼り替えましょう。」と記載することが考えられる。
【００９６】
同様に、「本年月別各日詳細スケジュール記入欄」の下に「今月の予定の詳細スケジュールを各日詳細内容記入部に記入しましょう。」と記載し、「来年用月別スケジュール記入欄」の下に「今月に対応する来年のスケジュールを分かる範囲で記載しましょう。」と記載することが考えられる。
【００９７】
更には、「来年用月別注意喚起欄」の下に「今月の行事が終わった段階が翌年の来年ダイアリーに内容を書き換える段階で来年用月別注意喚起メッセージシートに来年のその月に注意すべき点を記載するか、今年の来年ダイアリーの本年月別注意喚起欄の本年月別重要メッセージシートを必要に応じて剥がして貼り替えましょう。」と記載することが考えられる。この記載に加えて「今年の経験を生かして来年の同様の行事や手続を行う際の注意点（留意点）など気付いた点を合わせて記載しましょう」と記載しておくと本発明に係る来年ダイアリーの使い勝手をより向上させることができる。
【符号の説明】
【００９８】
１    来年ダイアリー
１０    本年月別注意喚起欄
１１，１２，１３,・・・    本年月別重要メッセージシート
２０    本年月別概略予定記入欄
２１，２２，２３,・・・    各日概略予定記入ラベル
３０    本年月別各日詳細スケジュール記入欄
３１，３２，３３，・・・    各日詳細内容記入部
５０    来年用月別スケジュール記入欄
５１，５２，５３，・・・    各日概略内容記入部
６０    来年用月別注意喚起欄
６１，６２，６３，・・・    来年用月別注意喚起メッセージシート
【図１】
2018089863.tif 000003
【図２】
2018089863.tif 000004
【図３】
2018089863.tif 000005
【図４】
2018089863.tif 000006
【図５】
2018089863.tif 000007
【図６】
2018089863.tif 000008
【図７】
2018089863.tif 000009
【図８】
2018089863.tif 000010
【図９】
2018089863.tif 000011
【図１０】
2018089863.tif 000012
【手続補正書】
【提出日】平成29年11月19日(2017.11.19)
【手続補正１】
【補正対象書類名】特許請求の範囲
【補正対象項目名】全文
【補正方法】変更
【補正の内容】
【特許請求の範囲】
【請求項１】
或る年の月ごとの各日の行事や手続等の予定、数年に一度しかない手続等の予定を記入可能な行事記入欄が記載された本年月別各日詳細スケジュール記入欄と、
前記本年月別各日詳細スケジュール記入欄に該当する月の重要メッセージを記入可能な本年月別重要メッセージシートを貼り付けることができる本年月別注意喚起欄と、
前記本年月別各日詳細スケジュール記入欄に対応する月の来年の月用に重要メッセージを記入可能な来年用月別注意喚起メッセージシートを剥離可能に貼り付けておくことができる来年用月別注意喚起欄と、
前記来年用月別注意喚起欄に剥離可能に貼り付けられた来年用月別注意喚起メッセージシートをそれぞれの月ごとに１年分有する来年ダイアリーであって、
前記本年月別各月詳細スケジュール記入欄、前記本年月別注意喚起欄、前記来年用月別注意喚起欄である旨の表示が前記来年ダイアリーのこれらにそれぞれ相当する頁に記入されていることを特徴とする来年ダイアリー。
【請求項２】
或る年の月ごとの各日の行事や手続等の予定、数年に一度しかない手続等の予定を記入可能な行事記入欄が記載された本年月別各日詳細スケジュール記入欄と、
前記本年月別各日詳細スケジュール記入欄に該当する月の重要メッセージを記入可能な本年月別重要メッセージシートを貼り付けることができる本年月別注意喚起欄と、
前記本年月別各日詳細スケジュール記入欄に対応する月の来年の月用に重要メッセージを記入可能な来年用月別注意喚起メッセージシートを剥離可能に貼り付けておくことができる来年用月別注意喚起欄と、
前記来年用月別注意喚起欄に剥離可能に貼り付けられた来年用月別注意喚起メッセージシートをそれぞれの月ごとに１年分有する来年ダイアリーであって、
本年度月別注意喚起欄には前記或る年の前年の来年ダイアリーの本年月別重要メッセージシートの貼り付け用の枠が表示されていることを特徴とする来年ダイアリー。
【請求項３】
或る年の月ごとの各日の行事や手続等の予定、数年に一度しかない手続等の予定を記入可能な行事記入欄が記載された本年月別各日詳細スケジュール記入欄と、
前記本年月別各日詳細スケジュール記入欄に該当する月の重要メッセージを記入可能な本年月別重要メッセージシートを貼り付けることができる本年月別注意喚起欄と、
前記本年月別各日詳細スケジュール記入欄に対応する月の来年の月用に重要メッセージを記入可能な来年用月別注意喚起メッセージシートを剥離可能に貼り付けておくことができる来年用月別注意喚起欄と、
前記来年用月別注意喚起欄に剥離可能に貼り付けられた来年用月別注意喚起メッセージシートをそれぞれの月ごとに１年分有する或る年用の来年カレンダーと、
或る年の次の年の月ごとの各日の行事や手続等の予定、数年に一度しかない手続等の予定を記入可能な行事記入欄が記載された本年月別各日詳細スケジュール記入欄と、
前記本年月別各日詳細スケジュール記入欄に該当する月の重要メッセージを記入可能な本年月別重要メッセージシートを貼り付けることができる本年月別注意喚起欄と、
前記本年月別各日詳細スケジュール記入欄に対応する月の来年の月用に重要メッセージを記入可能な来年用月別注意喚起メッセージシートを剥離可能に貼り付けておくことができる来年用月別注意喚起欄と、
前記来年用月別注意喚起欄に剥離可能に貼り付けられた来年用月別注意喚起メッセージシートをそれぞれの月ごとに１年分有する或る年の次の年用の来年カレンダーとからなることを特徴とする来年ダイアリー。
【請求項４】
前記本年月別各日詳細スケジュール記入欄、本年月別注意喚起欄、来年用月別注意喚起欄に加えて、今年の該当する月の本年月別概略予定記入欄を備え、当該本年月別概略予定記入欄には、それぞれの日付ごとに別々に剥離可能に貼り付けられた各日概略予定記入ラベルが貼付され、かつ予定の変更や正式決定に伴い、既に予定記入済の各日概略予定記入ラベルと他の各日概略予定記入ラベルを交換するために貼り変え可能になっていることを特徴とする請求項１乃至請求項３の何れかに記載の来年ダイアリー。
【手続補正２】
【補正対象書類名】明細書
【補正対象項目名】００１８
【補正方法】変更
【補正の内容】
【００１８】
上述の課題を解決するために、本発明の請求項１に係る来年ダイアリーは、
或る年の月ごとの各日の行事や手続等の予定、数年に一度しかない手続等の予定を記入可能な行事記入欄が記載された本年月別各日詳細スケジュール記入欄と、
前記本年月別各日詳細スケジュール記入欄に該当する月の重要メッセージを記入可能な本年月別重要メッセージシートを貼り付けることができる本年月別注意喚起欄と、
前記本年月別各日詳細スケジュール記入欄に対応する月の来年の月用に重要メッセージを記入可能な来年用月別注意喚起メッセージシートを剥離可能に貼り付けておくことができる来年用月別注意喚起欄と、
前記来年用月別注意喚起欄に剥離可能に貼り付けられた来年用月別注意喚起メッセージシートをそれぞれの月ごとに１年分有する来年ダイアリーであって、
前記本年月別各月詳細スケジュール記入欄、前記本年月別注意喚起欄、前記来年用月別注意喚起欄である旨の表示が前記来年ダイアリーのこれらにそれぞれ相当する頁に記入されていることを特徴としている。
また、本発明の請求項２に係る来年ダイアリーは、
或る年の月ごとの各日の行事や手続等の予定、数年に一度しかない手続等の予定を記入可能な行事記入欄が記載された本年月別各日詳細スケジュール記入欄と、
前記本年月別各日詳細スケジュール記入欄に該当する月の重要メッセージを記入可能な本年月別重要メッセージシートを貼り付けることができる本年月別注意喚起欄と、
前記本年月別各日詳細スケジュール記入欄に対応する月の来年の月用に重要メッセージを記入可能な来年用月別注意喚起メッセージシートを剥離可能に貼り付けておくことができる来年用月別注意喚起欄と、
前記来年用月別注意喚起欄に剥離可能に貼り付けられた来年用月別注意喚起メッセージシートをそれぞれの月ごとに１年分有する来年ダイアリーであって、
本年度月別注意喚起欄には前記或る年の前年の来年ダイアリーの本年月別重要メッセージシートの貼り付け用の枠が表示されていることを特徴としている。
また、本発明の請求項３に係る来年ダイアリーは、
或る年の月ごとの各日の行事や手続等の予定、数年に一度しかない手続等の予定を記入可能な行事記入欄が記載された本年月別各日詳細スケジュール記入欄と、
前記本年月別各日詳細スケジュール記入欄に該当する月の重要メッセージを記入可能な本年月別重要メッセージシートを貼り付けることができる本年月別注意喚起欄と、
前記本年月別各日詳細スケジュール記入欄に対応する月の来年の月用に重要メッセージを記入可能な来年用月別注意喚起メッセージシートを剥離可能に貼り付けておくことができる来年用月別注意喚起欄と、
前記来年用月別注意喚起欄に剥離可能に貼り付けられた来年用月別注意喚起メッセージシートをそれぞれの月ごとに１年分有する或る年用の来年カレンダーと、
或る年の次の年の月ごとの各日の行事や手続等の予定、数年に一度しかない手続等の予定を記入可能な行事記入欄が記載された本年月別各日詳細スケジュール記入欄と、
前記本年月別各日詳細スケジュール記入欄に該当する月の重要メッセージを記入可能な本年月別重要メッセージシートを貼り付けることができる本年月別注意喚起欄と、
前記本年月別各日詳細スケジュール記入欄に対応する月の来年の月用に重要メッセージを記入可能な来年用月別注意喚起メッセージシートを剥離可能に貼り付けておくことができる来年用月別注意喚起欄と、
前記来年用月別注意喚起欄に剥離可能に貼り付けられた来年用月別注意喚起メッセージシートをそれぞれの月ごとに１年分有する或る年の次の年用の来年カレンダーとからなることを特徴としている。
【手続補正３】
【補正対象書類名】明細書
【補正対象項目名】００２２
【補正方法】変更
【補正の内容】
【００２２】
しかしながら、請求項１乃至請求項３に係る本願発明によると、このような問題を全て解決することができる。
【手続補正４】
【補正対象書類名】明細書
【補正対象項目名】００２３
【補正方法】変更
【補正の内容】
【００２３】
また、本発明の請求項４に係る来年ダイアリーは、請求項１乃至請求項３の何れかに記載の来年ダイアリーにおいて、
前記本年月別各日詳細スケジュール記入欄、本年月別注意喚起欄、来年用月別注意喚起欄に加えて、今年の該当する月の本年月別概略予定記入欄を備え、当該本年月別概略予定記入欄には、それぞれの日付ごとに別々に剥離可能に貼り付けられた各日概略予定記入ラベルが貼付され、かつ予定の変更や正式決定に伴い、既に予定記入済の各日概略予定記入ラベルと他の各日概略予定記入ラベルを交換するために貼り変え可能になっていることを特徴としている。